(57)【要約】【解決手段】通信システムにおける共有されたサブパケットを処理する方法が開示される。音声サービスおよびデータサービスの両方を提供する通信システムは複数の加入者局が順方向トラヒック装置に送信されたデータを共有することを可能にする。順方向トラヒックチャネルの装置が共有されるていることを判断するために、加入者局により要求される情報を供給するために、かつ正しくデータを復号するために、異なる制御チャネル構造が記載される。さらに、制御チャネル構造は、符号チャネル割り当てのより効率的なシグナリングを提供す売る。【選択図】図３
2005507192.tif 000002
【特許請求の範囲】
【請求項１】
下記を具備する、通信システムにおいて、共有されたサブパケットを処理する方法：
トラヒックチャネルが共有されることを示す表示器と、前記トラヒックチャネルのパラメーターを具備する第１の制御チャネルを発生する；および
少なくとも１つの第２の制御チャネルを発生する、前記少なくとも１つの第２の制御チャネルの各々は、少なくとも１つの加入者局のアイデンティティおよび前記加入者局が前記トラヒックチャネルを復調可能にする情報を具備する。
【請求項２】
前記トラヒックチャネルが共有されることを示す表示器と、前記トラヒックチャネルのパラメーターを具備する第１の制御チャネルを発生することは、
トラヒックチャネルが共有されることを示す表示器と、前記トラヒックチャネルの装置を共有する加入者局の数を具備する、請求項１に請求された方法。
【請求項３】
前記少なくとも１つの第２の制御チャネルを発生する、前記少なくとも１つの第２の制御チャネルの各々は、少なくとも１つの加入者局のアイデンティティおよび前記加入者局が前記トラヒックチャネルを復調可能にする情報を具備するは、
少なくとも１つの第２の制御チャネルを発生する、前記少なくとも１つの第２の制御チャネルの各々は、少なくとも１つの加入者局のアイデンティティと、前記トラヒックチャネルの前記装置を符号化する符号チャネルの数とを具備する、請求項２に請求される方法。
【請求項４】
前記第１の制御チャネルが意図した最悪の順方向リンク品質測定基準を有する加入者局により要求される電力で前記第１の制御チャネルを送信することをさらに具備する、請求項１に請求された方法。
【請求項５】
前記少なくとも１つの第２の制御チャネルが意図した加入者局により要求される電力で前記少なくとも１つの第２の制御チャネルの各々を送信することをさらに具備する、請求項１に請求される方法。
【請求項６】
前記トラヒックチャネルが共有されることを示す表示器と、トラヒックチャネルのパラメーターを具備する、第の制御チャネルを発生することは、
トラヒックチャネルが共有されることを示す表示器と、前記トラヒックチャネルの装置の副分割の第１の数と、前記装置を共有する加入者局の第２の数とを具備する第１の制御チャネルを発生することを具備する、請求項１に請求される方法。
【請求項７】
前記少なくとも１つの第２の制御チャネルを発生する、前記少なくとも１つの第２の制御チャネルの各々は、少なくとも１つの加入者局のアイデンティティおよび前記加入者局が前記トラヒックチャネルを復調可能にする情報を具備するは、
少なくとも１つの第２の制御チャネルを発生する、前記少なくとも１つの第２の制御チャネルの各々は、少なくとも１つの加入者局のアイデンティティと、前記トラヒックチャネルの前記装置の副分割を開始することを具備する、請求項６に請求の方法。
【請求項８】
下記を具備する、加入者局において、共有されるサブパケットを処理する方法：
トラヒックチャネルが共有されるかどうかを判断するために第１の制御チャネルを復調する；
前記トラヒックチャネルが共有されるなら、前記復調された第１の制御チャネルに従って、トラヒックチャネルを共有し、前記トラヒックチャネルを多重化する加入者局の数を決定する；
加入者局のアイデンティティと、前記加入者局がトラヒックチャネルを復調することを可能にする情報を具備する、第２の制御チャネルを復調する；および
取得したアイデンティティが、前記加入者局のアイデンティティと同一ならば、前記復調された多重化および前記可能にする情報に従って、前記トラヒックチャネルを復調する。
【請求項９】
前記アイデンティティが前記加入者局のアイデンティティに同一でなく、別の第２の制御チャネルが送信されるなら、別の第２の制御チャネルに対して復調を反復することをさらに具備する、請求項８に請求される方法。
【請求項１０】
前記トラヒックチャネルが共有されるかどうかを判断するために第１の制御チャネルを復調することは、所定の制御チャネルを復調することを具備する、請求項８に請求される方法。
【請求項１１】
取得したアイデンティティが前記加入者局のアイデンティティと同一なら、前記決定された多重化およびイネーブリング情報に従って前記トラヒックチャネルを前記復調することは、
前記トラヒックチャネル装置が符号多重化されるなら、前記イネーブリング情報に従ってトラヒックチャネル装置のサイズおよび符号チャネルの数を決定し；および
前記トラヒックチャネル装置を復調する；
ことを具備する、請求項８に請求された方法。
【請求項１２】
前記取得したアイデンティティが前記加入者局のアイデンティティと同一なら、前記イネーブリング情報に従って、前記トラヒックチャネルを復調することは、
前記トラヒックチャネルが時分割されるなら、トラヒックチャネル装置の副分割の数を決定し、前記イネーブリング情報に従って副分割を開始することを決定し；および
前記トラヒックチャネルを復調する；
ことを具備する請求項８に請求される方法。
【請求項１３】
下記を具備する、通信システムにおいて、共有されるサブパケットを処理する方法：
トラヒックチャネルが共有されることを示す表示器と、前記トラヒックチャネルのパラメーターを具備する第１の制御チャネルを発生する；
少なくとも１つの第２の制御チャネルを発生する、前記少なくとも１つの第２の制御チャネルの各々は、少なくとも１つの加入者局のアイデンティティと、前記加入者局が前記トラヒックチャネルを復調可能にする情報を具備する；
前記制御チャネルを送信する；
前記受信した第１の制御チャネルを復調する；
トラヒックチャネルを共有する加入者局の数、および前記復調された制御チャネルに従う前記トラヒックチャネルの多重化を決定する；
加入者局のアイデンティティと、前記加入者局がトラヒックチャネルを復調可能にする情報を具備する第２の制御チャネルを復調する；および
前記取得したアイデンティティが前記加入者局のアイデンティティと同一なら、前記決定された多重化およびイネーブリング情報に従って、前記トラヒックチャネルを復調する。
【請求項１４】
トラヒックチャネルが共有されることを示す表示器とトラヒックチャネルのパラメーターとを具備する前記第１の制御チャネルを発生することは、
トラヒックチャネルが共有されることを示す表示器と前記トラヒックチャネルの装置を共有する加入者局の数を具備する第１の制御チャネルを発生することを具備する、請求項１３に請求される方法。
【請求項１５】
前記少なくとも１つの第２の制御チャネルを発生する、前記少なくとも１つの第２の制御チャネルの各々は、少なくとも１つの加入者局のアイデンティティと前記加入者局が前記トラヒックチャネルを復調可能にする情報を具備することは、
少なくとも１つの第２の制御チャネルを発生する、前記少なくとも１つの第２の制御チャネルの各々は、少なくとも１つの加入者局のアイデンティティと、前記トラヒックチャネルの装置を符号化する符号チャネルの数を具備する、請求項１４に請求される方法。
【請求項１６】
前記第１の制御チャネルが意図した最悪の順方向リンク品質を有した加入者局が要求する電力で前記第１の制御チャネルを送信することをさらに具備する、請求項１３の方法。
【請求項１７】
前記少なくとも１つの第２の制御チャネルが意図した加入者局により要求される電力で前記少なくとも１つの第２の制御チャネルを送信することをさらに具備する、請求項１３に請求される方法。
【請求項１８】
前記トラヒックチャネルが共有されることを示す表示器と、トラヒックチャネルのパラメーターを具備する第１の制御チャネルを発生することは、
トラヒックチャネルが共有されることを示す表示器と、前記トラヒックチャネルの装置の副分割の第１の数と、前記装置を共有する加入者局の第２の数を具備する第１の制御チャネルを発生することを具備する、請求項１３に請求される方法。
【請求項１９】
前記少なくとも１つの第２の制御チャネルを発生する、前記少なくとも１つの第２の制御チャネルの各々は、少なくとも１つの加入者局のアイデンティティと、前記加入者局が前記トラヒックチャネルを復調可能にする情報を具備することは、
少なくとも１つの第２の制御チャネルを発生する、前記少なくとも１つの第２の制御チャネルの各々は、少なくとも１つの加入者局のアイデンティティと、前記トラヒックチャネルの前記装置の副分割を開始することを具備する、請求項１８に請求される方法。
【請求項２０】
前記アイデンティティが前記加入者局のアイデンティティと同一でなく、別の第２の制御チャネルが送信されるなら、別の第２の制御チャネルに対して前記復調を反復することをさらに具備する、請求項１３に請求される方法。
【請求項２１】
前記トラヒックチャネルが共有されるかどうかを判断するために第１の制御チャネルを復調することは、所定の制御チャネルを復調することを具備する、請求項１３に請求される方法。
【請求項２２】
前記取得したアイデンティティが前記加入者局のアイデンティティと同一なら、前記決定された多重化およびイネーブリング情報に従って前記トラヒックチャネルを復調することは、
前記トラヒックチャネル装置が符号多重化されるなら、前記イネーブリング情報に従ってトラヒックチャネル装置のサイズおよび符号チャネルの数を決定することを具備する、請求項１５に請求される方法。
【請求項２３】
前記取得したアイデンティティが前記加入者局のアイデンティティと同一なら、前記イネーブリング情報に従って前記トラヒックチャネルを復調することは、
前記トラヒックチャネル装置が時分割されるなら、前記イネーブリング情報に従って、トラヒックチャネル装置の副分割の数および副分割を開始することを決定する；および
前記トラヒックチャネル装置を復調する；
ことを具備する、請求項１８に請求される方法。
【発明の詳細な説明】
【技術分野】
【０００１】
この発明は一般に通信システムに関し、特に、通信システムにおいて、共有されるサブパケットを処理する方法および装置に関する。
【背景技術】
【０００２】
通信システムは、送信局から物理的に区別されたあて先局への情報信号の送信を可能にするために開発されてきた。送信局から通信チャネル上に情報信号を送信する際に、情報信号は、最初に通信チャネル上に効率的な送信を行なうのに適した形式に変換される。情報信号の変換または変調は、結果として生じる変調された搬送波が通信チャネル帯域幅内に限定されるように情報信号に従って搬送波のパラメーターを変化させることを含む。あて先局において、オリジナル情報信号は、通信チャネル上で受信された変調された搬送波から複製される。そのような複製は、一般に、送信局により採用される変調プロセスの逆を用いることにより達成することができる。
【０００３】
変調は、また多重アクセス、すなわち、共通通信チャネル上のいくつかの信号の同時の送信および／または受信を容易にする。多重アクセス通信システムはしばしば共通の通信チャネルに対する連続したアクセスよりもむしろ相対的に短い期間の断続的なサービスを要求する複数の遠隔加入者装置を含む。時分割多重アクセス（ＴＤＭＡ）、周波数分割多重アクセス（ＦＤＭＡ）、および振幅変調多重アクセス（ＡＭ）のようないくつかの多重アクセス技術が技術的に知られている。他のタイプの多重アクセス技術は、以下ＴＩＡ／ＥＩＡ／ＩＳ−９５規格と呼ばれる「デュアルモード広帯域スペクトラム拡散セルラーシステムのためのＴＩＡＳ／ＥＩＡ／ＩＳ−９５移動局−基地局互換規格」に準拠する符号分割多重アクセス（ＣＤＭＡ）スペクトラム拡散システムである。多重アクセス通信システムにおけるＣＤＭＡ技術の使用は、この発明の譲受人に譲渡された、米国特許第４，９０１，３０７（発明の名称：「衛星または地上リピーターを用いたスペクトラム拡散多重アクセス通信システム」(SPREAD SPECTRUM MULTIPLE-ACCESS COMMUNICATION SYSTEM USING SATELLITE OR TERRESTRIAL REPEATERS)および米国特許第５，１０３，４５９（発明の名称：「ＣＤＭＡ携帯電話システムにおいて波形を発生するシステムおよび方法」(SYSTEM AND METHOD FOR GENERATING WAVEFORMS IN A CDMA CELLULAR TELEPHONE SYSTEM)に開示されている。
【０００４】
多重アクセス通信システムは、無線または有線であってもよく、音声および／またはデータを運ぶことができる。音声とデータの両方を運ぶ通信システムの一例は、ＴＩＡ／ＥＩＡ／ＩＳ−９５規格に従うシステムである。固定サイズの符号チャネルフレームにおいてデータを送信する方法は、この発明の譲受人に譲渡される米国特許第５，５０４，７７３（発明の名称：「送信用データをフォーマット化する方法および装置」(METHOD AND APPARATUS FOR THE FORMATTING OF DATA FOR TRANSMISSION)に詳細に記載されている。ＴＩＡ／ＥＩＡ／ＩＳ−９５規格に従って、データまたは音声は、１４．４Ｋｂｐｓのデータ転送速度を有する２０ミリ秒幅の符号チャネルフレームに分割される。音声とデータの両方を運ぶ通信システムの他の例は、文献番号３Ｇ  ＴＳ  ２５．２１１、３Ｇ  ＴＳ  ２５．２１２、３Ｇ  ＴＳ  ２５．２１３、および３Ｇ  ＴＳ  ２５．２１４（Ｗ−ＣＤＭＡ規格）を含む文献のセットに具現化される「第三世代パートナーシッププロジェクト」（３ＧＰＰ）、または「ｃｄｍａ２０００スペクトラム拡散システムのためのＴＲ４５．５物理層規格」（ＩＳ−２０００規格）に準拠する通信システムを含む。
【０００５】
データのみの通信システムの一例は、以下、ＴＩＡ／ＥＩＡ／ＴＩＡ／ＥＩＡ／ＩＳ−８９５工業規格に準拠する高速データ転送速度（ＨＤＲ）通信システムである。このＨＤＲシステムは、この発明の譲受人に譲渡された、１９９７年１１月３日に出願された同時係属出願シリアル番号０８／９６３，３８６（発明の名称：「高速パケットデータ送信のための方法および装置」(METHOD AND APPARATUS FRO HIGH RATE PACKET DATA TRANSMISSION)に記載された通信システムに基づいている。ＨＤＲ通信システムは、アクセスポイント（ＡＰ）がデータを加入者局（アクセス端末、ＡＴ）に送信することができる３８．４ｋｂｐｓ乃至２．４Ｍｂｐｓの範囲の一連のデータ転送速度を定義する。ＡＰは基地局に類似しているので、セルおよびセクタに対する専門用語は、音声システムに対するものと同じである。
【０００６】
既存の音声／データ通信システムは一般に、音声電話技術または、小容量のファイル転送、電子メールおよびファクシミリを含むデータ通信を利用する。従って、データ転送速度は限定されている。例えば、ＴＩＡ／ＥＩＡ／ＩＳ−９５規格に従う上述した通信システムは複数のトラヒックチャネルを確立することを提供する。各トラヒックチャネルは、毎秒１４．４キロビットまでのデータの速度を有する。毎秒１４．４キロビットは、上述したタイプのより低いデータ転送速度アプリケーションに適合するけれども、世界的なウエブおよびテレビ会議のようなよりデータ集約型のアプリケーションの人気の高まりは、より高いデータ送信速度の需要を作り出した。ＴＩＡ／ＥＩＡ／ＩＳ−８９５規格に従う通信システムは、そのデータ速度要求を満足するが、データ送信のみが可能である。音声サービス能力を保持しながら、データ送信のための需要を満足させるために、いくつかの通信システムが提案された。
【０００７】
そのような通信システムの１つが、Ｗ−ＣＤＭＡ規格に従う上述した通信システムである。他の通信システムは、第三世代パートナーシッププロジェクト２（３ＧＰＰ２）に対してLG Electronics, LSI Logic, Lucent Technologies, Nortel Networks, QUALCOMM Incorporated、およびSamsungにより提出された提案に記載されている。この提案は、２００１年６月１１日に文献番号Ｃ５０−２００１０６１１−００９として３ＧＰＰ２に提出された「１ｘＥＶ−ＤＶのための「更新された結合物理層提案」というタイトルがつけられた文献、および以下１ｘＥＶ−ＤＶ提案と呼ばれる、２００１年８月２０日にファイルＬ３ＮＱＳ＿Ｐｈｙｓｉｃａｌ＿Ｌａｙｅｒ＿ｖ０９．ｄｏｃとして提出された「１ｘＥＶ−ＤＶのための更新された結合物理層提案」というタイトルがつけられた文献に詳述されている。さらに、他の通信システムは、Motorola, Nokia, Texas Instruments,およびLSI Logicにより提出された３ＧＰＰ２に対する提案に記載されている。この提案は、２０００年１２月８日に、文献番号Ｃ５０−２０００１２０４−０２１として３ＧＰＰ２に提出された「ｃｄｍａ２０００スペクトラム拡散システムにおいて統合されたデータおよび音声サービスのための１ＸＴＲＥＭＥ  物理層仕様」(1XTREME Physical Layer Specification for Integrated Data and Voice Services in cdma2000 Spread Spectrum Systems)というタイトルがつけられた文献に詳述されている。
【０００８】
１ｘＥＶ−ＤＶ提案は、複数の加入者局と、同時の音声およびデータサービスを可能にする複数の加入者局との間に空中インターフェースを提供する。その目的のために、１ｘＥＶ−ＤＶ提案は一連の順方向チャネルおよび逆方向チャネルを定義する。
【０００９】
基地局により送信される逆方向チャネルの構造は、図１に図解される。逆方向パイロットチャネル、専用制御チャネル、および基本チャネルは変わらない。無線構成１乃至６に対して補足チャネル構造は変わらない。新しい逆方向制御チャネルは、逆方向速度表示器チャネル（Ｒ−ＲＩＣＨ）、逆方向チャネル品質表示器チャネル（Ｒ−ＣＱＩＣＨ）、および逆方向アクノレッジメントチャネル（Ｒ−ＡＣＫＣＨ）である。
【００１０】
基地局１０４（ｉ）により送信される順方向チャネルの構造は、図２に図解される。順方向パイロットチャネル、送信ダイバーシティパイロットチャネル、補助パイロットチャネル、補助送信ダイバーシティパイロットチャネル、同期チャネル、パディングチャネル、ブロードキャスト制御チャネル、クイックページングチャネル、共通電力制御チャネル、共通割り当てチャネル、専用制御チャネル、順方向基本チャネル、順方向補足チャネル、および順方向補足符号チャネルは、上述したＩＳ−２０００規格の対応物と同じである。順方向パケットデータチャネル、オプショナル順方向プライマリパケットデータ制御チャネル、および順方向ニ次パケットデータ制御チャネルは、１ｘＥＶ−ＤＶパケットデータ動作に対して定義されたチャネルである。
【００１１】
データサービスは、時分割に基づいてパケットデータユーザーにより共有される順方向パケットデータチャネル（Ｆ−ＰＤＣＨ）上の加入者局に提供される。Ｆ−ＰＤＣＨは、多数の符号分割多重ウオルシュサブチャネルから構成される。サブチャネルの数は、回路交換方式の音声およびデータユーザーの需要に応じて時間的に変化する。Ｆ−ＰＤＣＨ構造は、図３に図解される。送信される情報ビットストリーム３０２は、いくつかのサイズのパケットにセグメント化される。１６ビット巡回冗長検査（ＣＲＣ）は、ブロック３０２において各パケットに付加され、６ビットターボ符号器テールアロウワンス(tail allowance)は、符号器パケットを生じるブロック３０６において付加され、一実施形態において、符号器パケットは、３８４ビット、７６８ビット、１，５３６ビット、２，３０４ビット、３，０７２ビット、および３，８４０ビットのサイズである。符号器パケットはブロック３０８により符号化される。各符号化されたパケットは次に、ブロック３１２により発生されたスクランブルパターンによりブロック３１０においてスクランブルされ、ブロック３１４によりインターリーブされる。次に、いくつかのまたはすべてのインターリーブされた記号が選択され、ブロック３１６においてサブパケットを形成する。サブパケットの長さに応じて、サブパケットは、１、２、４、または８スロットからなる。一実施形態において、スロットは、１．２５ｍｓの長さである。サブパケットは、ブロック３１８により変調されたＱＰＳＫ、８−ＰＳＫ、または１６−ＱＡＭであり、ブロック３２０によりさまざまな対（同相および直交）の並列ストリームに逆多重化される。並列ストリームの各々は、識別可能な３２進のウオルシュ関数でカバーされる。すべてのストリームのウオルシュ符号化された記号は、ブロック３２４により一緒に合計され、単一の同相ストリームと単一の直交ストリームを形成する。同相ストリームと直交ストリームは、チャネルの利得を調節するブロック３２６に供給される。いくつかの順方向リンクチャネル、データおよび音声の両方は、ブロック３２８において合計され、ブロック３３０において、直交拡散され、結果として得られる同相ストリームおよび直交ストリームは、ブロック３２２（ｉ）において、ベースバンド濾波され、ブロック３３４（ｉ）において、アップコンバートされ、ブロック３３６において、合計される。
【００１２】
Ｆ−ＰＤＣＨは、使用されるなら、順方向一次パケットデータ制御チャネル（Ｆ−ＰＰＤＣＣＨ）により、および順方向二次パケットデータ制御チャネル（Ｆ−ＳＰＤＣＣＨ）により制御される。
【００１３】
Ｆ−ＰＰＤＣＣＨは、Ｆ−ＰＤＣＨ送信の第１のスロット期間に送信され、Ｆ−ＰＤＣＨサブパケット長を示す２ビットフィールドを運ぶ。当業者は、Ｆ−ＰＰＤＣＣＨが、Ｆ−ＰＤＣＨサブパケット長の情報のみを運ぶので、Ｆ−ＰＰＤＣＣＨの使用は任意であることを認識する。加入者局は、Ｆ−ＰＤＣＨサブパケット長を決定する他の手段を使用することができる。従って、例えば、加入者局は、すべてのサブパケット長仮説に対してサブパケットを復号でき、最も可能性のある１つの仮説を選択することができる。
【００１４】
Ｆ−ＳＰＤＣＣＨは、１、２、または４スロット上で送信され、Ｆ−ＳＰＤＣＣＨ送信の開始は、対応するＦ−ＰＤＣＨ送信の開始と一致する。Ｆ−ＳＰＤＣＣＨは、媒体アクセスコントローラー（ＭＡＣ）識別子（ＩＤ）、自動反復要求（ＡＲＱ）チャネルＩＤ、復号器パケットサイズ、およびＦ−ＰＤＣＨサブパケットＩＤを指定するビットを運ぶ。
【００１５】
従って、１ｘＥＶ−ＤＶ提案は、単一のスロット粒度上でのみ基地局が、複数のモバイルにデータを送信することを可能にする。さらに、３８４ビットのパケットを許容する最も高いサブパケットデータ転送速度は、サブパケットあたり１スロットを有する３０７．２ｋｂｐｓである。従って、たとえモバイルが、より高いデータ転送速度を受信することができるとしても、せいぜい、３０７．２ｋｂｐｓに制限され、少なくとも１つのスロットを使用する。
【００１６】
同様に、１ＸＴＲＥＭＥ提案は、複数の加入者局と、同時の音声サービスおよびデータサービスを可能にする複数の加入者局との間に空中インターフェースを提供する。１ＸＴＲＥＭＥ提案は、パケットデータチャネルおよびパケットデータチャネルに関連する制御チャネルに対して５ｍｓの固定のサブパケットサイズを使用する。パケットデータサブパケットは、ＣＤＭ共有することができるが、データまたは制御サブパケットの期間に関して柔軟性が無い。パケットデータチャネルは、順方向専用ポインターチャネルと呼ばれる、各ユーザーのための専用ＣＤＭチャネルと、順方向共有制御チャネルと呼ばれる共有制御チャネルを用いて制御される。
【００１７】
固定期間共有パケットデータサブパケットおよび１ＸＴＲＥＭＥ提案または１ｘＥＶ−ＤＶ提案の限定された制御は、リソースを消費し、システムスループット性能を制限する。従って、スロットあたりの複数の順方向リンク送信を可能にすることによりシステムのスループットを改良するための方法および装置の技術的必要性がある。
【発明の開示】
【課題を解決するための手段】
【００１８】
この発明の１つの観点において、上述した必要性は、トラヒックチャネルが共有されることを示す表示器と、トラヒックチャネルのパラメーターとを具備する第１の制御チャネルを発生し；および少なくとも１つの第２の制御チャネルを発生し、少なくとも１つの第２の制御チャネルの各々は、少なくとも１つの加入者局のアイデンティティと、加入者局がトラヒックチャネルを復調可能にする情報とから構成されることにより、対処される。
【００１９】
この発明の他の観点において、上述の必要性は、トラヒックチャネルが共有されるかどうか判断するための第１の制御チャネルを復調し、トラヒックチャネルが共有されるなら、復調された制御チャネルに従って、トラヒックチャネルを共有する加入者局の数と、トラヒックチャネルの多重化を決定し；加入者局のアイデンティティと、加入者局がトラヒックチャネルを復調可能にする情報とから構成される第２の制御チャネルを復調し；および取得したアイデンティティが加入者局のアイデンティティと一致するなら、決定された多重化と可能にする情報に従って、トラヒックチャネルを復調することにより、対処される。
【発明を実施するための最良の形態】
【００２０】
「例示」という用語は、ここでは、もっぱら、「実施例、事例、実例として取り扱う」ことを意味する。
【００２１】
パケットという用語は、ここでは、もっぱら、特定のフォーマットに配置された、データ（ペイロード）おおび制御エレメントを含むビットのグループを意味する。制御エレメントは、例えばプリアンブル、品質測定基準、および当業者に周知のその他のものから構成される。品質測定基準は、例えば、巡回冗長検査（ＣＲＣ）、パリティビット、および当業者に周知のその他のものから構成される。
【００２２】
アクセスネットワークという用語は、ここではもっぱら、アクセスポイント（ＡＰ）および１つ以上のアクセスポイントコントローラーの収集を意味する。アクセスネットワークは、複数のアクセス端末（ＡＴ）間にデータパケットを移送する。アクセスネットワークはさらに、企業内イントラネットまたはインターネットのような、アクセスネットワーク以外のさらなるネットワークに接続可能であり、各アクセス端末とそのような外部のネットワークとの間でデータパケットを移送することができる。
【００２３】
ＨＤＲ通信システムの場合に、ここでは、ＡＰと呼ばれる基地局という用語は、ここでは、もっぱら、加入者局が通信するハードウエアを意味する。セルは、その用語が使用される文脈に応じて、ハードウエアまたは地理的サービスエリアに言及する。セクターはセルの１区画である。セクターはセルの属性を有しているので、セルの観点から記載された開示は、容易にセクターに拡張される。
【００２４】
ＨＤＲ通信システムの場合に、ここでは、ＡＴとして呼ばれる加入者局という用語は、ここでは、もっぱら、アクセスネットワークが通信するハードウエアを意味する。ＡＴはモバイルであってもよいし、静止型であってもよい。ＡＴは、無線チャネルを介して、または有線チャネル、例えば、光ファイバーまたは同軸ケーブルを介して通信するいかなるデータ装置であってもよい。さらに、ＡＴは、これらに限定されるわけではないが、ＰＣカード、コンパクトフラッシュ（登録商標）、外部または内部モデム、無線または有線電話を含む多数のタイプの装置のいずれであってもよい。ＡＰとアクティブトラヒックチャネル通信を確立中のＡＴは、接続セットアップ状態にあると言われる。ＡＰとアクティブトラヒックチャネル接続を確立したＡＴは、アクティブＡＴと呼ばれ、トラヒック状態にあると言われる。
【００２５】
通信チャネル／リンクという用語は、ここでは、もっぱら、変調特性および符号化の観点から記載した、信号が送信される単一の経路、または、ＡＰまたはＡＴのいずれかのプロトコル層内の単一経路を意味する。
【００２６】
逆方向チャネル／リンクという用語は、ここでは、もっぱらＡＴが信号をＡＰに送信する通信チャネル／リンクを意味する。
【００２７】
順方向チャネル／リンクは、ここではもっぱら、ＡＰがＡＴに信号を送信する通信チャネル／リンクを意味する。
【００２８】
用語ソフトハンドオフは、ここでは、もっぱら、加入者局と、各セクターが異なるセルに属する２以上のセクターとの間の通信を意味する。ＴＩＡ／ＥＩＡ／ＩＳ−９５規格の文脈において、逆方向リンク通信は両方のセクターにより受信され、順方向リンク通信は、２つ以上のセクターの順方向リンク上で同時に運ばれる。ＴＩＡ／ＥＩＡ／ＩＳ−８９５規格の文脈において、順方向リンク上のデータ送信は、２以上のセクターの１つとＡＴとの間で、非同時に実行される。
【００２９】
ソフターハンドオフという用語は、加入者局と、各セクターが同じセルに属する２以上のセクターとの間の通信をもっぱら意味する。ＴＩＡ／ＥＩＡ／ＩＳ−９５規格の文脈において、逆方向リンク通信は、両方のセクタにより受信され、順方向リンク通信は、２以上のセクターの順方向リンクの１つ上で同時に実行される。ＴＩＡ／ＥＩＡ／ＩＳ−８９５規格の文脈において、順方向リンク上のデータ送信は、２以上のセクタの１つとＴとの間で非同時に実行される。
【００３０】
再ポインティング(re-pointing)という用語は、ここでは、もっぱら、セクターが現在選択されているセクターと異なる、ＡＴのアクティブリストの一部分であるセクターの選択を意味する。
【００３１】
ソフト／ソフターハンドオフ遅延という用語は、ここでは、もっぱら、加入者局が他のセクターへのハンドオフに続いて経験するであろうサービスの最小の中断を示すために使用される。ソフト／ソフターハンドオフ遅延は、加入者局が再ポインティングしているセクター（現在加入者局にサービスしていない）（非サービスセクター）が、現在サービスしているセクタと同じセルの一部であるかどうかに基づいて決定される。サービスしていないセクターがサービスしているセクターと同じセル内にあれば、ソフターハンドオフ遅延が使用され、サービスしていないセクターが、サービスしているセクターが一部であるセルと異なるセル内にあれば、ソフトハンドオフ遅延が使用される。
【００３２】
非均一のソフト／ソフターハンドオフ遅延という用語は、ここでは、もっぱら、ソフト／ソフターハンドオフ遅延がセクター特有であり、それゆえ、アクセスネットワークのセクターの全域で均一でないかもしれない。
【００３３】
クレジットという用語は、ここでは、もっぱら、逆方向リンクの品質測定基準、順方向リンクの品質測定基準、および順方向リンクおよび逆方向リンクの両方の複合品質測定基準を示す大きさのない属性を意味する。
【００３４】
消去という用語は、ここでは、もっぱら、メッセージを認識できないことを意味する。
【００３５】
機能停止という用語は、ここでは、もっぱら、加入者局がサービスを受信する可能性が低減される時間間隔を意味する。
【００３６】
固定レートモードという用語は、ここでは、もっぱら、特定のセクターが順方向トラヒックチャネルを１つの特定のレートで送信することを意味する。
【００３７】
記述
この発明は、１ｘＥＶ−ＤＶに定義されるようなサブパケット構造を利用するが、さらに、サブパケット粒度をさらに分割する。以下の記載の全体に渡って、チャネルはこの発明の概念を理解するために必要な構造の観点から論じられる。従って、当業者は、チャネル構造が、送信に必要なさらなるエレメント、例えば、ＣＲＣ、エンコーダーテールビット(encoder tail bit)、および当業者に周知の他のブロックを含めることができることを理解する。
【００３８】
図４は、一実施形態に従う、サブパケット構造を図解する。サブパケット４００は、１つ以上のスロット４０２（ｉ）から構成される。スロット４０２（ｉ）の各々はさらに、サブスロット４０４（ｉ）に時分割される。（１つの副分割しか示されていない。）一実施形態において、２、４、または８の等しいサブスロット４０４（ｉ）がある。しかしながら、当業者は、副分割は、１つの実施の選択であり、他の副分割は、この発明の範囲内にあることを理解する。加入者局へのデータは、１つ以上のサブスロット４０４（ｉ）に供給される。各加入者局は、多数のサブスロット４０４（ｉ）を使用することができ、サブパケット４０２（ｉ）の各々を利用する加入者局の各々に対するサブスロットの数を異ならせることが出来る。
【００３９】
図５に図解される他の実施の形態に従って、サブパケット５００のスロット５０２（ｉ）は、いくつかの加入者局のためのデータを含む。特定のモバイルに対するサブパケット５００のすべてのスロット５０２（ｉ）からのデータは、１つ以上の利用可能なウオルシュチャネルを用いて送信される。図５に示すように、スロット４０２（１）−４０２（２）は、ウオルシュ符号５０４（１）−５０４（ｍ）により符号化され、それゆえ、ｍの加入者局のためのデータを運ぶ。従って、同時に情報を受信している加入者局の数は、サブパケット毎に変化させてもよい。
【００４０】
制御構造
上述したＦ−ＰＤＣＨの構造の多様性により、加入者局は、加入者局がＦ−ＰＤＣＨを復調可能にする情報が与えられなければならない。サブパケットの符号分割を利用する位置実施形態において、Ｆ−ＰＰＤＣＣＨおよびＦ−ＳＰＤＣＣＨの既存の構造を利用することができる。当業者は、以下の記述が、Ｆ−ＰＰＤＣＣＨおよびＦ−ＳＰＤＣＣＨの変形例について記載するけれども、これは、個人指導のためだけであり、記載された実施形態に従って新しいチャネルを定義することができることを理解する。更なる情報は、１つ以上の新しいチャネル上で実行される。
【００４１】
図６は、サブパケットを共有する加入者局の各々について、Ｆ−ＰＰＤＣＣＨ６００、Ｆ−ＳＰＤＣＣＨ６０２、および１つのＣＤＭ制御チャネル６０８（ｉ）から構成される、一実施形態に従って、制御チャネル構造を図解する。Ｆ−ＰＰＤＣＣＨ６００は、１ｘＥＶ−ＤＶ提案で定義されるように利用される。当業者は、Ｆ−ＰＰＤＣＣＨは、Ｆ−ＰＤＣＨサブパケット長についての情報のみを運ぶので、Ｆ−ＰＰＤＣＣＨの使用は、任意であることを認識する。加入者局は、Ｆ−ＰＤＣＨサブパケット長を決定する他の手段を使用することができる。従って、例えば、加入者局は、すべてのサブパケット長仮説に対してサブパケットを復号することができ、仮説のうちで最も可能性のある仮説を選択することができる。
【００４２】
同様に、Ｆ−ＳＰＤＣＣＨ６０２は、以下の変更を有した１ｘＥＶ−ＤＶ提案において定義されるように利用される。ブロック６０４のＭＡＣ  ＩＤの値の１つは、Ｆ−ＰＤＣＨのサブパケットが共有されることを確認するために、予約される。一実施形態において、サブパケットが共有されることを確認するＭＡＣ  ＩＤ値はすべて１である。共有されるサブパケットが意図したすべての加入者局は、チャネル６０２の情報内容を確実に受信しなければならないので、制御チャネルが意図した、最悪の順方向リンク品質測定基準を有する加入者局の電力要求によって、決定される電力でチャネル６０２が送信される。チャネル６０２を受信すると、加入者局の各々は、ブロック６０４のＭＡＣ  ＩＤを復調し、復号する。サブパケットが加入者局の１つのためのものであることをＭＡＣ  ＩＤが示すなら、識別された加入者局は、１ｘＥＶ−ＤＶ提案に概説された手続きに従ってサブパケットを処理する。
【００４３】
ＭＡＣ−ＩＤが、サブパケットが共有されることを示すなら、ブロック６６の残りのビットは、共有されるサブパケットのパラメーターを示すように解釈される。パラメーターは、サブパケットを共有する多数の加入者局から構成される。従って、加入者局の各々は、この情報を取得し、ＣＤＭチャネル６０８（ｉ）の受信を開始する。ＣＤＭチャネル６０８（ｉ）の各々は、ウオルシュ符号により変調されるので、加入者局は、これらのウオルシュ符号を知る必要がある。一実施形態において、所定のウオルシュ符号は、ＣＤＭチャネル６０８（ｉ）のために予約される。他の実施形態において、加入者局は、シグナリングメッセージによりウオルシュ符号について知らされる。サブパケットを共有する加入者局の数に等しいＣＤＭチャネル６０８（ｉ）の数のみが送信され、送信は、サブパケットが共有されるときのみ生じる。一実施形態において、ＣＤＭチャネル６０８（ｉ）は、同時に送信され、従って、加入者局の各々は、すべてのＣＤＭチャネル６０８（ｉ）からのデータを累積し、累積されたデータを後処理する。ＣＤＭチャネル６０８（ｉ）の各々は、加入者局の１つに向けられ、基地局は、加入者局順方向リンク品質測定基準をについての情報を有しているので、基地局は、加入者局の電力要件により決定される最小電力でＣＤＭチャネル６０８（ｉ）の各々を送信する。
【００４４】
ＣＤＭチャネル６０８（ｉ）の各々は、加入者局がどのＣＤＭチャネル６０８（ｉ）を加入者局に指定するかを決定可能にする情報、および加入者局がＦ−ＰＤＣＨを復調可能にする情報から構成される。加入者局がどのＣＤＭチャネル６０８（ｉ）を加入者局に指定するかを決定可能にする情報はＭＡＣ  ＩＤ  ６１０（ｉ）から構成される。加入者局がＦ−ＰＤＣＨを復調可能にする情報は、ＡＲＱ  ＩＤ６１２（ｉ）、サブパケットＩＤ６１６（ｉ）、パケットサイズ６１８（ｉ）、および使用されるウオルシュチャネルの数６２０（ｉ）から構成される。一実施形態において、現在のＦ−ＰＤＣＣＨ符号化および変調はＣＤＭチャネル６０８（ｉ）の各々に対して使用される。後処理の期間、加入者局の各々は、ＣＤＭチャネル６０８（ｉ）のＭＡＣ  ＩＤ６１０（ｉ）を復調する。ＭＡＣ  ＩＤ６１０（ｉ）が、ＣＤＭチャネル６０８（ｉ）が加入者局のための情報を含まないことを示すなら、加入者局は、チャネルの更なる後処理を中止し、次のＣＤＭチャネル６０８（＋１）のための手続きを反復する。ＣＤＭチャネル６０８（ｉ）が加入者局のための情報を含むことを示すＭＡＣ  ＩＤ６１０（ｉ）を加入者が復調するなら、加入者局は残りの情報を復調し、集められた情報に従って、Ｆ−ＰＤＣＨ上のサブパケットを処理する。
【００４５】
サブパケットの符号分割を利用する他の実施形態において、情報は、サブパケットを共有するすべての加入者局のためのＦ−ＰＰＤＣＣＨ、Ｆ−ＳＰＤＣＣＨ、および１つのＣＤＭチャネル上に供給される。従って、Ｆ−ＰＰＤＣＣＨおよびＦ−ＳＰＤＣＣＨは、図６を参照して記載した構造を有する。ＣＤＭチャネルの構造は、加入者局の各々がＦ−ＰＤＣＨを復調可能にする情報を運ぶ。すべての加入者局のための情報は、時分割され、次に、符号化され、変調される。従って、ＣＤＭチャネルは、図６において記載したＣＤＭチャネル６０８（ｉ）の連結から構成される。一実施形態において、現在のＦ−ＳＰＤＣＣＨ符号化および変調は、ＣＤＭチャネルのために使用される。従って、情報を取得する方法は、すべての加入者局がＣＤＭチャネル上で運ばれるすべての情報を復調し、復号することを除いて、上述したのと同じである。次に、加入者局はＭＡＣ  ＩＤｓを調べる。加入者局がサブパケットを共有することを示すＭＡＣ  ＩＤを加入者局が発見できないなら、加入者局は更なる処理を中止する。ＣＤＭチャネルの次の部分が加入者局のための情報を含むことを示すＭＡＣ  ＩＤを加入者が発見するなら、加入者局は、情報を復調し、集められた情報に従って、Ｆ−ＰＤＣＨ上のサブパケットを処理する。
【００４６】
当業者は、サブパケットを共有する加入者局の数を制限することにより上述の実施形態をさらに簡単にすることを理解する。従って、２つの加入者局のみがサブパケットを共有可能にする一実施形態において、Ｆ−ＰＰＤＣＣＨの既存の構造およびＦ−ＳＰＤＣＣＨの変更された構造を利用することができる。従って、更なる制御チャネルの必要性は無い。
【００４７】
Ｆ−ＰＰＤＣＣＨは、１ｘＥＶ−ＤＶ提案で定義されるように利用される。Ｆ−ＰＰＤＣＣＨは、Ｆ−ＰＤＣＨサブパケット長についての情報のみを運ぶので、Ｆ−ＰＰＤＣＣＨの使用は任意であることを当業者は認識する。加入者局は、Ｆ−ＰＤＣＨサブパケット長を決定するたの手段を使用してもよい。従って、例えば、加入者局は、すべてのサブパケット長仮説のためのサブパケットを復号し、仮説のうちで最も可能性のある仮説を選択する。
【００４８】
図７は、Ｆ−ＳＰＤＣＣＨ７００の構造を図解する。変更されたＦ−ＳＰＤＣＣＨ７００は、２つの加入者局がＦ−ＰＤＣＨを復調可能にする情報から構成される。それゆえ、Ｆ−ＳＰＤＣＣＨ７００は、各加入者局７０２（１）、７０２（２）、のためのＭＡＣ  ＩＤｓ、ＡＲＱ  ＩＤｓ７０２（１）、７０４（２）、サブパケットＩＤｓ７０６（１）、７０６（２）、符号器パケットサイズ７０８（１）、７０８（２）、および使用されるウオルシュチャネルの数７１０（１）、７１０（２）から構成される。第２の加入者局が、第２の加入者局のウオルシュチャネルの数以下のウオルシュチャネルの数を使用すると仮定するなら、構造はさらに簡単化することができる。変更されたＦ−ＳＰＤＣＣＨ７００は、ブロック７１０（１）、７１０（２）の１つのみから構成される。
【００４９】
サブパケットを共有するように意図されたすべての加入者局は、変更されたＦ−ＳＰＤＣＣＨ７００を確実に受信しなければならないので、変更されたＦ−ＳＰＤＣＣＨ７００は、変更されたＦ−ＳＰＤＣＣＨが意図した最悪の順方向リンク品質測定基準を有する加入者局の電力要件により決定される電力で送信される。変更されたＦ−ＳＰＤＣＣＨを受信すると、加入者局の各々は、変更されたＦ−ＳＰＤＣＣＨ７００を復調し、ブロック７０２（１）、７０２（２）内のＭＡＣ  ＩＤｓを復号する。加入者局のＭＡＣ  ＩＤが復号されたＭＡＣ  ＩＤｓのいずれかに同一なら、加入者局は、変更されたＦ−ＳＰＤＣＣＨ７００から残りの情報を取得し、その情報に従って、Ｆ−ＰＤＣＨのサブパケットを処理する。
【００５０】
Ｆ−ＰＤＣＨが１つの加入者局のみを意図していたとしても、変更されたＦ−ＳＰＤＣＣＨ７００が送信される。この場合、ＭＡＣ  ＩＤ７０２（２）は、ＭＡＣ  ＩＤ７０２（１）に同一である。従って、加入者局は、ブロック７０４（２）をＡＲＱ  ＩＤとして解釈すること、ブロック７０６（２）をサブパケットＩＤとして解釈すること、７０８（２）を符号器パケットサイズとして解釈すること、および７１０（２）を使用されるウオルシュチャネルの数７１０（１）として解釈することを無視する。従って、これらのブロックは、いかなるさらなる情報に対しても使用することができる。ＭＡＣ  ＩＤが復号されたＭＡＣ  ＩＤに同一である加入者は、変更されたＦ−ＳＰＤＣＣＨ７００から残りの情報を取得し、１ｘＥＶ−ＤＶ提案に概説される手続きに従って、Ｆ−ＰＤＣＨのサブパケットを処理する。
【００５１】
他の実施形態に従って、Ｆ−ＰＰＤＣＣＨおよびＦ−ＳＰＤＣＣＨの既存の構造を利用することができる。Ｆ−ＰＰＤＣＣＨは、１ＸＥＶ−ＤＶ提案で定義されるように利用される。当業者は、Ｆ−ＰＰＤＣＣＨは、Ｆ−ＰＤＣＨサブパケット長についての情報のみを運ぶので、Ｆ−ＰＰＤＣＣＨの使用は任意であることを認識する。加入者局は、Ｆ−ＰＤＣＨサブパケット長を決定する他の手段を使用してもよい。従って、例えば、加入者局は、すべてのサブパケット長仮説を復号することができ、仮説のうちで最も可能性のある仮説を選択することができる。Ｆ−ＳＰＤＣＣＨは、２つの加入者局の１つがＦ−ＰＤＣＨを復調可能にする情報、および他のＣＤＭ制御チャネルが送信されるかどうかを指定する表示器から構成される。ＣＤＭ制御チャネルは、１つの加入者局がＦ−ＰＤＣＨを復調可能にする情報を含む。
【００５２】
図８は、Ｆ−ＳＰＤＣＣＨ８００、およびＣＤＭ制御チャネル８０２の制御チャネル構造を図解する。Ｆ−ＳＰＤＣＣＨ８００は、ＭＡＣ  ＩＤ８０４、ＡＲＱ  ＩＤ  ８０６、サブパケットＩＤ８０８、符号器パケットサイズ８１０、および可能な２つの共有されるチャネルに対して使用されるウオルシュチャネル８１２の数、およびＣＤＭ表示器８１４から構成される。
【００５３】
ＣＤＭチャネル８０２は、ＭＡＣ  ＩＤ８１６、ＡＲＱ  ＩＤ８１８、サブパケットＩＤ  ８２０、符号器パケットサイズ８２２、および使用されるなら、第２の共有されるチャネルのためのウオルシュチャネルの数から構成される。Ｆ−ＰＤＣＨサブパケットが共有されないなら、ＣＤＭチャネル８０２は、そのサブパケットに対して送信されない。
【００５４】
一実施形態において、Ｆ−ＳＰＤＣＣＨ８００および、使用されるなら、ＣＤＭ制御チャネル８０２は同時に送信される。加入者局は、ＣＤＭ制御チャネル８０２が送信されるか否かを知らないので、加入者局の各々は、Ｆ−ＳＰＤＣＣＨ８００および全てのＣＤＭチャネル８０２の両方からデータを累積し、累積されたデータを後処理する。サブパケットを共有するために、両方の加入者局は、確実にＦ−ＳＰＤＣＣＨ８００を受信しなければならないので、Ｆ−ＳＰＤＣＣＨ８００は、Ｆ−ＳＰＤＣＣＨ８００が意図した最悪の順方向リンク品質を有する加入者局の電力要件により決定される電力で送信される。ＣＤＭ制御チャネル８０２は、加入者局の１つに指定され、基地局は、加入者局の順方向リンク品質測定基準についての情報を有するので、基地局は、加入者局の電力要件により決定される最小電力でＣＤＭ制御チャネル８０２を送信する。
【００５５】
変更されたＦ−ＳＰＤＣＣＨ８００を受信すると、加入者局の各々は、ＭＡＣ  ＩＤ８０２を復号する。復号されたＭＡＣ  ＩＤが加入者局のＭＡＣ  ＩＤと同一なら、加入者局は、Ｆ−ＳＰＤＣＣＨ８００から残りの情報を復号し、その情報に従って、Ｆ−ＰＤＣＨのサブパケットを処理する。
【００５６】
ＭＡＣ  ＩＤが復号されたＭＡＣ  ＩＤ同一でない、加入者局は、ＣＤＭ表示器８１４を復号する。ＣＤＭ表示器Ｘ２１４が、ＣＤＭ制御チャネル８０２が送信されていないことを示すなら、加入者局はさらなる処理を中止し、そうでなければ、加入者局は、ＭＡＣ  ＩＤ８１６を復号する。ＭＡＣ  ＩＤが復号されたＭＡＣ  ＩＤと同一である加入者局は、ＣＤＭ制御チャネル８０２から残りの情報を取得し、その情報に従って、Ｆ−ＰＤＣＨのサブパケットを処理する。ＭＡＣＩＤｓが復号されたＭＡＣ  ＩＤと同一でない加入者局はさらなる処理を中止する。
【００５７】
Ｆ−ＰＤＣＨサブパケットの時分割を利用する他の実施形態において、制御情報は、サブパケットを共有する加入者局の各々のためのＦ−ＰＰＤＣＣＨ、Ｆ−ＳＰＤＣＣＨ、および１つのＣＤＭチャネル上に供給される。
【００５８】
ＣＤＭベースのＦ−ＰＤＣＨサブパケット共有については、Ｆ−ＰＰＤＣＣＨの機能と構造は、上述したＦ−ＰＰＤＣＣＨの機能と構造と同一である。
【００５９】
同様に、以下の変更を有するＣＤＭベースサブパケット共有については、Ｆ−ＰＰＤＣＣＨの機能と構造は、上述したＦ−ＰＳＤＣＣＨの機能と構造に同一である。Ｆ−ＰＤＣＨのサブパケットが共有されることをＭＡＣ  ＩＤが示すなら、Ｆ−ＳＰＤＣＣＨの残りのビットは、共有されるサブパケットのパラメーターを示すように解釈され、パラメーターは、サブパケットが副分割されるサブスロットの数およびサブパケットを共有する加入者局の数から構成される。従って、加入者局の各々は、変更されたＦ−ＳＰＤＣＣＨを復調し、ＭＡＣ  ＩＤを復号する。サブパケットが加入者局のためのものであることをＭＡＣ  ＩＤが示すなら、識別された加入者局は、１ｘＥＶ−ＤＶ提案において概説される手続きに従ってサブパケットを処理する。
【００６０】
サブパケットが共有されることをＭＡＣ  ＩＤが示すなら、加入者局は、Ｆ−ＳＰＤＣＣＨの残りのビットを用いて、サブパケットが副分割されるサブスロットの数およびサブパケットを共有する加入者局の数を決定するであろう。従って、加入者局の各々は、この情報を取得し、次に、図９に図解するように、ＴＤＭチャネル９００（ｉ）の受信を開始する。ＣＤＭチャネル９００（ｉ）の各々は、ウオルシュ符号により変調されるので、加入者局は、これらのウオルシュ符号を知る必要がある。一実施形態において、所定のウオルシュ符号は、ＣＤＭチャネル９００（ｉ）のために予約される。他の実施の形態において、加入者局は、シグナリングメッセージによりウオルシュ符号について知らされる。サブパケットを共有する加入者局の数に等しいＣＤＭチャネル９００（ｉ）の数のみが送信され、サブパケットが共有されるときのみ送信が生じる。一実施形態において、ＣＤＭチャネル９００（ｉ）は同時に送信され、従って、加入者局の各々は、全てのＴＤＭチャネル９００（ｉ）からのデータを累積し、次に、累積したデータを後処理する。ＴＤＭ共有Ｆ−ＰＤＣＨのためのＣＤＭ制御チャネル９００（ｉ）の各々は、加入者局の１つに向けられ、基地局は、加入者局順方向リンク品質測定基準についての情報を有するので、基地局は、意図した加入者局に確実に到達するのに十分な電力でＣＤＭ制御チャネル９００（ｉ）の各々を送信する。
【００６１】
ＣＤＭ制御チャネル９００（ｉ）の各々は、加入者局がどのＣＤＭチャネル９００（ｉ）が加入者局に向けられているかを決定可能にする情報、および加入者局がＦ−ＰＤＣＨを復調可能にする情報から構成される。加入者局が、どのＣＤＭチャネル９００（ｉ）が加入者局に向けられているかを決定可能にする情報は、ＭＡＣ  ＩＤ９０２（ｉ）から構成される。加入者局がＦ−ＰＤＣＨを復調可能にする情報は、ＡＲＱ  ＩＤ９０４（ｉ）、サブパケットＩＤ９０６（ｉ）、共有されたサブパケットのフォーマット９０８（ｉ）、およびモバイルの各々に対する開始サブスロット９１０（ｉ）から構成される。一実施形態において、現在のＦ−ＰＤＣＣＨ符号化および変調は、ＣＤＭチャネル９００（ｉ）の各々に対して使用される。後処理の期間中に、加入者局の各々は、制御チャネル９００（ｉ）のＭＡＣ  ＩＤ９０２（ｉ）を復調する。制御チャネル９００（ｉ）が加入者局のための制御情報を含まないことをＭＡＣ  ＩＤ９０２（ｉ）が示すなら、加入者局は、チャネルのさらなる後処理を中止し、次の制御チャネルのための手続き９００（ｉ＋１）を反復する。制御チャネル９００（ｉ）が加入者局のための制御情報を含むことを示すＭＡＣ  ＩＤ９０２（ｉ）を加入者が復調するなら、加入者局は、残りの情報を読み、集められた情報に従って、Ｆ−ＰＤＣＨ上でサブパケットを処理する。
【００６２】
スロットの時分割を利用する他の実施形態において、サブパケットを共有するすべての加入者局のためのＦ−ＰＰＤＣＣＨ、Ｆ−ＳＰＤＣＣＨ、および１つのＴＤＭチャネル上に情報が供給される。ＴＤＭチャネルは、加入者局の各々がＦ−ＰＤＣＨを復調可能にする情報により変調される。すべての加入者局のための情報は、時分割され、次に符号化され変調される。従って、ＣＤＭチャネルは、図９に記載するように、ＣＤＭチャネル９００（ｉ）の連結から構成される。一実施形態において、現在のＦ−ＳＰＤＣＣＨ符号化および復調はＣＤＭチャネルのために使用される。従って、情報を取得する方法は、すべての加入者局がＣＤＭチャネルに同調し、全体の情報を復調し、復号することを除いて、上述したのと同じである。次に、加入者局はＭＡＣ  ＩＤｓを調べる。加入者局がサブパケットを共有することをＭＡＣ  ＩＤが示していることを加入者局が見つけられないなら、加入者局はさらなる処理を中止する。ＣＤＭチャネルの次の部分が加入者局のための情報を含むことをＭＡＣ  ＩＤが示していることを加入者が発見するなら、加入者局は残りの情報を読み、集められた情報に従って、Ｆ−ＰＤＣＨ上のサブパケットを処理する。さらに、加入者局の各々は、サブスロット位置についての情報を含むＦ−ＳＰＤＣＣＨの各部分を調べる。加入者局は、他の加入者局に向けられたサブスロットの期間に情報を取得したので、従ってＣＤＭチャネルは、各加入者局に対してサブスロットを開始することを含む必要が無い。
【００６３】
他の実施の形態に従う制御チャネルの構造は図１０に図解される。制御チャネル１００２は、ブロック１００４において、多数の制御チャネル１００８（ｉ）の表示から構成される。さらに、ブロック１００６（ｉ）の各々は、Ｆ−ＰＤＣＨ上に情報が送信される加入者局のＭＡＣ  ＩＤを識別する。制御チャネル１００２を受信するために、加入者局は、制御チャネル１００２の変調パラメーターを知らなければならない。一実施形態において、変調パラメーターはあらかじめ決められている。他の実施形態において、変調パラメーターは、シグナリングメッセージにより加入者局に供給される。すべての加入者局は、制御チャネル１００２を確実に受信しなければならないので、制御チャネル１００２は、最悪の順方向リンク品質測定基準を有する加入者局の電力要件により決定される電力で送信される。制御チャネル１００２を受信すると、加入者局の各々は、制御チャネル１００２を復調し、復号する。次に、ブロック１００６（ｉ）から取得したＭＡＣ  ＩＤｓに同一のＭＡＣ  ＩＤを有する加入者局の各々は、制御チャネル１００８（ｉ）の１つを取得する。従って、送信された制御チャネル１００８（ｉ）の数は、チャネル１００２内のＭＡＣ  ＩＤｓの数に等しい。ブロック１００６（ｉ）から取得したＭＡＣ  ＩＤｓと異なるＭＡＣ  ＩＤｓを有する加入者局は、さらなる制御処理を中止する。
【００６４】
さらなる制御チャネル１００８（ｉ）の各々は、ＭＡＣ  ＩＤｓの１つにより識別される加入者局がＦ−ＰＤＣＨを復調可能にする情報を含む。それゆえ、一実施形態において、制御チャネルの各々は、ＡＲＱチャネルＩＤ、符号器パケットサイズ、およびＦ−ＰＤＣＨサブパケットＩＤ、並びに、上述したサブパケットＴＤＭ／ＣＤＭ共有のための情報から構成される。
【００６５】
制御チャネル１００２内のＭＡＣ  ＩＤｓの１つにより識別される加入者局がＦ−ＰＤＣＨを復調可能にする情報を取得するために、加入者局ＭＡＣ  ＩＤと、加入者局のための情報からなる制御チャネル１００８（ｉ）との間に関係が存在しなければならない。一実施形態において、関係は、チャネル１００２内のブロック１００６（ｉ）の位置と、制御チャネル１００８（ｉ）を符号化するウオルシュ符号のインデックスにより決定される。従って、例えば、制御チャネル１００２内でＭＡＣ  ＩＤの位置をの順番を増加させることは、制御チャネル１００８（ｉ）を符号化するウオルシュ符号のインデックスを増加させることを意味する。制御チャネルのウオルシュ符号とＭＡＣ  ＩＤとの間の関係は、あらかじめ決めても良いし、シグナリングメッセージにより変更可能であってもよい。しかしながら、当業者は、他の関係がこの発明の範囲内にあることを理解する。さらなる制御チャネル１００８（ｉ）の各々は、加入者局の１つに向けられており、基地局は、加入者局順方向リンク品質測定基準についての情報を有しているので、基地局は、加入者局の電力要件により決定される最小電力でチャネル１００８（ｉ）の各々を送信する。
【００６６】
加入者局が適当な制御チャネル１００８（ｉ）を復調すると、加入者局は、Ｆ−ＰＤＣＨの復調を可能にする情報を復号し、集められた情報に従って、Ｆ−ＰＤＣＨ上のサブパケットを処理する。
【００６７】
他の実施の形態に従う、制御チャネル構造は図１１に図解される。制御チャネル１１０２（ｉ）の各々は、加入者局がＦ−ＰＤＣＨを復号するのに必要とするすべての情報を含む。それゆえ、一実施形態において、チャネル１１０２（ｉ）の各々は、ＭＡＣ  ＩＤブロック１１０４、ＡＲＱチャネルＩＤブロック１１０６、符号器パケットサイズブロック１１０８、およびＦ−ＰＤＣＨサブパケットＩＤブロック１１１０、並びに集合的にブロック１１１２として識別される、上述したサブパケットＴＤＭ／ＣＤＭ共有のための情報から構成される。制御チャネル１１０２（ｉ）の各々は、加入者局の１つに向けられており、基地局は、加入者局順方向リンク品質測定基準についての情報を有しているので、基地局は、加入者局の電力要件により決定される最小電力でチャネル１１０８（ｉ）の各々を送信する。
【００６８】
制御チャネル１１０２（ｉ）を受信するために、加入者局は、制御チャネル１１０２（ｉ）の変調パラメーターを知らなければならない。一実施形態において、変調パラメーターと、可能な制御チャネルの数はあらかじめ決められている。一実施形態において、変調パラメーターは、異なるウオルシュ符号から構成される。実施形態に従って、１つの加入者局と１つの制御チャネル１１０２（ｉ）との間に関係は無いので、加入者局は、すべての制御チャネル１１０２（ｉ）を復調しなければならない。加入者局の数は、上述したＦ−ＰＤＣＨの粒度に従って変更できるので、送信された制御チャネル１１０２（ｉ）の数は、情報がＦ−ＰＤＣＨ上に送信される加入者局の数に等しいけれども、送信された制御チャネル１１０２（ｉ）の数は変化する。
【００６９】
一実施形態において、制御チャネル１１０８（ｉ）は同時に送信され、従って、加入者局の各々は、すべてのチャネル１１０８（ｉ）に対してデータを累積し、次に、累積したデータを後処理する。後処理の期間、加入者局の各々は、制御チャネル１１０２（ｉ）の１つを復調し、ブロック１１０４（ｉ）のＭＡＣ  ＩＤを復号する。ブロック１１０４（ｉ）のＭＡＣ  ＩＤと同一のＭＡＣ  ＩＤを有する加入者局は、残りの情報を復調し、集められた情報に従って、Ｆ−ＰＤＣＨ上のサブパケットを処理する。ブロック１１０４（ｉ）のＭＡＣ  ＩＤが、チャネル１１０８（ｉ）が加入者局のための情報を含まないことを示すなら、加入者局は、チャネルのさらなる後処理を中止し、次のチャネル１１０８（ｉ）のための手続きを反復する。上述したように、チャネル１１０８（ｉ）が加入者局のための情報を含むことを示すＭＡＣ  ＩＤを加入者局が発見しない限り、加入者局は、送信された制御チャネル１１０８（ｉ）の数についての情報を有していないので、加入者局は、すべての可能な制御チャネル１１０８（ｉ）を復調することを試みなければならない。
【００７０】
他の実施の形態に従う制御チャネル構造は、図１２に図解される。制御チャネル１２０２（ｉ）の各々は、加入者局がＦ−ＰＤＣＨを復号するのに必要なすべての情報を含む。それゆえ、一実施形態において、チャネル１２０２（ｉ）の各々は、ＭＡＣ  ＩＤブロック１２０４、ＡＲＱチャネルＩＤブロック１２０６、符号器パケットサイズブロック１２０８、およびＦ−ＰＤＣＨサブパケットＩＤブロック１２１０、ならびに集合的にブロック１２１２として識別される、上述したサブパケットＴＤＭ／ＣＤＭ共有のための情報から構成される。さらに、制御チャネル１２０２（ｉ）の１つ、例えば制御チャネル１２０２（１）は、送信された制御チャネル１２０２（ｉ）の数を識別するブロック１２１４を含む。すべての加入者局が制御チャネル１２０２（１）の情報内容を確実に受信することが望ましいので、一実施形態において、制御チャネル１２０２（１）は、最悪の順方向リンク品質測定基準を有する加入者局の電力要件により決定される電力で送信される。制御チャネル１２０２（２）−１２０２（ｍ）の各々は、加入者局の１つに向けられており、基地局は、加入者局順方向リンク品質測定基準についての情報を有しているので、基地局は、チャネル１２０２（２）−１２０２（ｍ）の各々を、加入者局の電力要件により決定される最小電力で送信する。
【００７１】
制御チャネル１２０２（ｉ）を受信するために、加入者局は、制御チャネル１２０２（ｉ）の変調パラメーターを知らなければならない。一実施形態において、変調パラメーターおよび可能な制御チャネルの数は、あらかじめ決められている。さらに、制御チャネル１２０２（ｉ）と変調パラメーターとの間に関係が存在する。一実施形態において、変調パラメーターは、異なるウオルシュ符号を含み、送信された制御チャネル１２０２（ｉ）はシーケンシャルインデックスを用いて、ウオルシュ符号により符号化される。しかしながら、当業者は、他の関係がこの発明の範囲内にあることを理解する。実施形態に従って、１つの加入者局と
つの制御チャネル１２０２（ｉ）との間に関係が無いので、加入者局は、すべての送信された制御チャネル１２０２（ｉ）を復調しなければならない。加入者局の数は、上述したＦ−ＰＤＣＨの粒度に従って変化してもよいので、送信された制御チャネル１２０２（ｉ）の数は、情報がＦ−ＰＤＣＨ上に送信される加入者局の数に等しいけれども、送信される制御チャネル１２０２（ｉ）の数は変化する。
【００７２】
一実施形態において、チャネル１２０２（ｉ）は同時に送信されるので、従って、加入者局の各々は、すべてのチャネル１２０２（ｉ）からのデータを累積し、次に、累積したデータを後処理する。後処理の期間中に、加入者局の各々は、最初に制御チャネル１２０２（１）を復調し、ブロック１２０４のＭＡＣ  ＩＤを復号する。ブロック１２０４のＭＡＣ  ＩＤと等しいＭＡＣ  ＩＤを有する加入者局は、残りの情報を復号し、集められた情報に従って、Ｆ−ＰＤＣＨ上のサブパケットを処理する。ＭＡＣ  ＩＤがブロック１２０４のＭＡＣ  ＩＤと等しくない加入者局は、ブロック１２１４の送信された制御チャネル１２０２（ｉ）の数を復号し、さらに、制御チャネル１２０２（１）の後処理を中止し、次のチャネル１２０８（ｉ）のための手続きを反復する。それゆえ、加入者局は、送信された制御チャネル１２０８（ｉ）の数についての情報を有する。上述したように、チャネル１２０８（ｉ）が加入者局のための情報を含むことを示すＭＡＣ  ＩＤを加入者局が発見しない限り、送信された制御チャネル１２０８（ｉ）の数の間に関係が存在するので、加入者局は、送信されたチャネル１２０８（ｉ）のみを復調しようと試みる。
【００７３】
他の実施形態に従う制御チャネル構造は、制御チャネル１２０２（ｉ）と変調パラメーターとの間の関係を除いて、図１２に図解する制御チャネル構造と同一である。上述したように、すべての加入者局が制御チャネル１２０２（１）の情報内容を確実に受信することが望ましい。一実施形態において、制御チャネル１２０２（１）は、最悪の順方向リンク品質測定基準を有する加入者局の電力要件により決定される電力で送信される。さらに、制御チャネル１２０２（２）−１２０２（ｍ）の各々は、加入者局の１つに向けられており、基地局は、加入者局の順方向リンク品質測定基準についての情報を有するので、従って、基地局はチャネル１２０２（２）−１２０２（ｍ）の各々を加入者局の電力要件により決定された最小電力でチャネル１２０２（２）−１２０２（ｍ）の各々を送信する。送信された制御チャネルは、送信された電力に従って順序付けされ、変調パラメーターの順序付けされたセットにより変調される。一実施形態に従って、変調パラメーターは、異なるウオルシュ符号から構成され、制御チャネル１２０２（ｉ）は、増加する送信電力に関連して増加するインデックスを有したウオルシュ符号により符号化される。しかしながら、当業者は、他の関係もこの発明の範囲内であることを理解する。
【００７４】
一実施形態において、チャネル１２０２（ｉ）は同時に送信される。従って、加入者局の各々は、すべてのチャネル１２０２（ｉ）からのデータを累積し、次に、累積したデータを後処理する。後処理の期間中、加入者局の各々は、最初に、制御チャネル１２０２（１）を復調し、ブロック１２０４のＭＡＣ  ＩＤを復号する。ブロック１２０４のＭＡＣ  ＩＤに同一のＭＡＣ  ＩＤを有する加入者局は、残りの情報を復号し、集められた情報に従って、Ｆ−ＰＤＣＨ上のサブパケットを処理する。
【００７５】
ＭＡＣ  ＩＤがブロック１２０４のＭＡＣ  ＩＤと同一でない加入者局は、ブロック１２１４の送信された制御チャネル１２０２（ｉ）の数を復号し、さらに、制御チャネル１２０２（１）の後処理を中止し、次に、復調すべき制御チャネル１２０２（２）−１２０２（ｍ）を決定する。制御チャネル１２０２（ｉ）の電力と、それにより制御チャネル１２０２（ｉ）が符号化されるウオルシュ符号との間の上述した関係のために、加入者局が制御チャネル１２０２（２）−１２０２（ｍ）の１つを復号しようと試み、復号が失敗すると、加入者局は、低電力で送信されたチャネル１２０２（２）−１２０２（ｍ）のいずれかの復号も失敗する可能性があることを知る。従って、加入者局は次に、より高い電力で送信した制御チャネル１２０２（２）−１２０２（ｍ）の１つを復号しようと試みる。それゆえ、当業者は、順序付けされたセットに基づくいかなる決定方法も使用できることを理解する。
【００７６】
例えば、一実施形態に従って、決定方法は、バイナリーサーチ方法を利用することが出来る。加入者局が、良好な品質の測定基準を有した順方向リンクを経験するなら、加入者局は、最低の電力を有した制御チャネル１２０２（ｍ）を復調し、従って、最高のインデックスｍを有したウオルシュ符号により符号化される。復号が失敗するなら、中出力を有した制御チャネル１２０２（ｍ／２）を用いてプロセスを反復し、従って、インデックスｍ／２を有したウオルシュ符号により符号化される。復号は成功であるが、制御チャネル１２０２（ｍ／２）が加入者局のための情報を含まないことをＭＡＣ  ＩＤが示すなら、加入者局は、１２０２（ｍ／２）と１２０２（ｍ）との間の制御チャネルを用いてプロセスを反復する。この方法は、加入者局が、１２０２（ｍ／２）と１２０２（ｍ）との間のすべての制御チャネルを使い果たすまで、または、制御チャネル１２０２（ｉ）が加入者局に向けられていることを示すＭＡＣ  ＩＤを有する制御チャネル１２０２（ｉ）を発見するまで、反復される。
【００７７】
他の実施の形態において、ＭＡＣ  ＩＤがブロック１２０４のＭＡＣ  ＩＤと同一でない加入者局は、レンジ１２０２（２）−１２０２（ｍ）から制御チャネル１２−２（ｉ）の電力を測定する。測定された電力が、加入者局により必要とされる電力より高いならば、加入者局のための情報を含む制御チャネル１２０２（ｉ）は、レンジ１２０２（ｉ）−１２０２（ｍ）内にある可能性がある。加入者局は、いずれかの決定方法、例えば、上述したバイナリーサーチを用いて電力を測定し続けることができ、または決定されたレンジから制御チャネルを選択することができ、および復調を試みることができる。
【００７８】
他の実施の形態に従う制御チャネル構造は、制御チャネル１２０２（ｉ）と変調パラメーターとの間の関係を除いて、図１２に図解される制御チャネル構造と同一である。一実施形態に従えば、送信された制御チャネル１２０２（ｉ）は、ブロック１２０４内のＭＡＣ  ＩＤｓの値に従って順序付けされ、順序付けされた変調パラメーターのセットによって変調される。一実施形態に従って、変調されたパラメーターは異なるウオルシュ符号から構成され、制御チャネル１２０２（ｉ）は、ブロック１２０４のＭＡＣ  ＩＤｓの増加する値に関連して増加するインデックスを有するウオルシュ符号により符号化される。しかしながら、当業者は、他の関係がこの発明の範囲内にあることを理解する。
【００７９】
従って、加入者局は、順序付けされたセット、たとえば上述の方法の１つに適用可能な決定方法を使用することができる。
【００８０】
他の実施の形態に従う制御チャネル構造は、図１３に図解される。制御チャネルの各々は、加入者局がＦ−ＰＤＣＨを復号するのに必要なすべての情報を含む。それゆえ、一実施形態に従って、チャネル１３０２（ｉ）の各々は、チャネル１３０２（ｉ）が意図した加入者局を識別するＭＡＣ  ＩＤブロック１３０６（ｉ）、他の制御チャネル１３０２（ｉ）が意図した加入者局を識別する部分ＭＡＣ  ＩＤブロック１３０８（ｉ）、およびブロック１３０６（ｉ）のＭＡＣ  ＩＤにより識別された加入者局がＦ−ＰＤＣＨを変調可能にする情報ブロック１３１０（ｉ）から構成される。さらに、制御チャネル１３０２（ｉ）の１つ、例えば、制御チャネル１３０２（１）は、制御チャネル１３０２（ｉ）の数を識別するブロック１３０４を含む。部分ＭＡＣ  ＩＤの識別は、実施の問題である。一実施形態において、ＭＡＣ  ＩＤは８ビット番号として表される。それゆえ、ビットの部分集合は、部分ＭＡＣ  ＩＤを識別する。一実施形態において、部分集合は、ＭＡＣ  ＩＤの最上位ビットから構成される。
【００８１】
制御チャネル１３０２（ｉ）を受信するために、加入者局は、制御チャネル１３０２（ｉ）の変調パラメーターを知らなければならない。一実施形態において、変調パラメーターと、可能な制御チャネルの数はあらかじめ決定される。一実施形態において、変調パラメーターは異なるウオルシュ符号から構成される。しかしながら、当業者は、他の関係もこの発明の範囲内にあることを理解する。さらに、制御チャネル１３０２（２）−１３０２（ｍ）と部分ＭＡＣ  ＩＤとの間にある関係が存在する。この関係は、復調するために、次の制御チャネル１３０２（ｉ）を選択するために、制御チャネルが１３０２（ｉ）の部分ＭＡＣ  ＩＤと一致するＭＡＣ  ＩＤを有する加入者局が使用する方法により決定される。当業者は、そのような方法、従って、関係は実施の問題であると理解する。一実施の関係に従って、チャネル１３０２（ｉ）のブロック１３０８（ｉ）からの部分ＭＡＣ  ＩＤは制御チャネル１３０２（ｍ−ｉ−１）を識別する。
【００８２】
すべての加入者局は、制御チャネル１３０２（１）を確実に受信しなければならないので、制御チャネル１３０２（１）は、最悪の順方向リンク品質測定基準を有する加入者局の電力要件により決定される電力で送信される。制御チャネル１３０２（２）−１３０２（ｍ）の各々が、加入者局の１つに向けられ、基地局は、加入者局順方向リンク品質測定基準についての情報を有するので、基地局は、チャネル１３０８（ｉ）の各々を加入者局の電力要件により決定される最小電力で送信する。
【００８３】
一実施形態において、チャネル１３０２（ｉ）は同時に送信され、従って、加入者局の各々は、すべてのチャネル１２０２（ｉ）からのデータを累積し、次に、累積したデータを後処理する。後処理の期間中、加入者局の各々は最初に制御チャネル１２０２（１）を復調し、ブロック１３０６（１）のＭＡＣ  ＩＤを復号する。ブロック１３０６（１）のＭＡＣ  ＩＤと同一のＭＡＣ  ＩＤを有する加入者局は、残りの情報を復号し、集められた情報に従って、Ｆ−ＰＤＣＨ上のサブパケットを処理する。
【００８４】
さらなる制御チャネル１３０２（ｉ）が無いことをブロック１３０４が示すなら、決定方法は終了する。
【００８５】
ｍ個のさらなる制御チャネル１１１８（ｉ）があることをブロック１３０４が示すなら、決定は以下のように進む。
【００８６】
ブロック１１０８（１）の部分ＭＡＣ  ＩＤと一致するＭＡＣ  ＩＤを有する加入者局は、ブロック１３０６（ｍ）のＭＡＣ  ＩＤを取得するために、制御チャネル１３０２（ｍ）を変調し、復号する。ブロック１３０６（ｍ）のＭＳＡＣ  ＩＤに一致するＭＡＣ  ＩＤを有する加入者局は、制御チャネル１３０２（ｍ）の残りの情報を変調し、復号し、集められた情報に従って、Ｆ−ＰＤＣＨ上のサブパケットを処理する。ブロック１３１６（ｍ）のＭＡＣ  ＩＤと一致しないＭＡＣ  ＩＤを有する加入者局は、以下に記載するように、次の制御チャネル１３０２（２）を復調する。加入者局は、すでに制御チャネル１３０２（ｍ）を処理したので、処理を続行し、制御チャネル１３０２（ｍ）に遭遇している加入者局は、さらなる処理を中止することができる。
【００８７】
ブロック１３０８（１）の部分ＭＡＣ  ＩＤと一致しないＭＡＣ  ＩＤを有する加入者局は、次の制御チャネル１３０２（ｉ）、すなわち、制御チャネル１３０２（２）を復調する。ブロック１３１６（２）のＭＡＣ  ＩＤに同一のＭＡＣ  ＩＤを有する加入者局は、制御チャネル１３０２（２）の残りの情報を復号し、集められた情報に従って、Ｆ−ＰＤＣＨ上のサブパケットを処理する。ブロック１３１８（２）の部分ＭＡＣ  ＩＤに一致するＭＡＣ  ＩＤを有する加入者局は、ブロック１３０８内のＭＡＣ  ＩＤに対して概説される処理に従う。（従って、加入者局は、ブロック１３１４（ｍ−１）のＭＡＣ  ＩＤを取得するために、制御チャネル１３１８（ｍ−１）を変調し、復号する）。
【００８８】
この方法は、加入者局がすべての制御チャネル１３０２（ｉ）を使い果たすまで、または制御チャネル１３０２（ｉ）が加入者局に向けられていることを示すＭＡＣ  ＩＤを有する制御チャネル１３０２（ｉ）を発見するまで、反復される。
【００８９】
符号チャネル割り当てシグナリング
上述したように、上述した実施形態に従って、この発明の制御チャネル構造は、１ｘＥＶ−ＤＶ提案の制御チャネルを利用する。従って、この発明の制御チャネル構造は、１ｘＥＶ−ＤＶ提案の制御チャネルの機能性を維持または改良しなければならない。
【００９０】
１ｘＥＶ−ＤＶ提案に従って、Ｆ−ＰＤＣＨサブパケットは、可変数の対（同相および直交）の並列ストリームに逆多重化され、並列ストリームの各々は、区別可能な３２進のウオルシュ符号でカバーされる。Ｆ−ＰＤＣＨウオルシュ符号は、このリストの一番上から始まって、２８の可能な割り当てのウオルシュスペースリスト(Walsh Space List)から割り当てられる。
【表１】
2005507192.tif 000003
【００９１】
Ｆ−ＰＤＣＨを使用すると、Ｆ−ＰＰＤＣＣＨ、Ｆ−ＳＰＤＣＣＨおよびＦ−ＰＤＣＨに対するウオルシュ符号割り当てがなされる。さらに、Ｆ−ＰＤＣＨに対して、そのような符号の数とそのような符号のウオルシュ割り当てが必要である。Ｆ−ＰＤＣＨに対して使用中のウオルシュ符号の数がＦ−ＳＰＤＣＣＨ上に送信される。ウオルシュ空間割り当てを信号伝達するためのシステム及び方法は、この発明の譲受人に譲渡された２００１年６月７日に出願された「１ＸＥＶ−ＤＶのためのウオルシュ空間表示器の取り扱い」(HANDLING THE WALSH SPACE INDICATOR FOR 1XEV-DV)というタイトルの同時係属出願シリアル番号６０／２９７，１０５に開示されている。
【００９２】
この発明の一実施形態に従えば、ウオルシュ空間は、Ｆ−ＳＰＤＣＣＨの電力に従って割り当てられる。一実施形態において、割り当ては、最も高い電力のＦ−ＳＰＤＣＣＨおよび最も低いウオルシュ空間で始まる。従って、ウオルシュ空間の最も低い部分は、最も高い電力のＦ−ＳＰＤＣＣＨにより割り当てられ、ウオルシュ空間の次に低い部分は、２番目に高い電力のＦ−ＰＤＣＨにより割り当てられ、すべてのＦ−ＳＰＤＣＣＨが使い果たされるまで、行なわれる。Ｆ−ＳＰＤＣＣＨの電力と容量を節約するために、個々のウオルシュ符号インデックスをリストアップする代わりに、Ｆ−ＳＰＤＣＣＨ内の各々は、使用されるウオルシュ符号の数から構成される。
【００９３】
例えば、表１を参照して、最大電力のＦ−ＳＰＤＣＣＨが、インデックス３１、１５、２３、７、２７および１１を有するウオルシュ符号からなるウオルシュ空間を割り当てるなら、最大電力のＦ−ＳＰＤＣＣＨは、ウオルシュ符号の番号である、番号６を含む。同様に、２番目に高い電力のＦ−ＳＰＤＣＣＨがインデックス１９、３、２９、１３、２１、５、２５を有するウオルシュ符号からなるウオルシュ空間を割り当てるなら、２番目に高い電力のＦ−ＳＰＤＣＣＨは、番号６を含む。
【００９４】
加入者局は、複数のＦ−ＳＰＤＣＣＨｓの各々からのウオルシュ符号の番号を得るために、上述した実施の形態に従って、複数のＦ−ＳＰＤＣＣＨｓを処理する。加入者局はさらに、複数のＦ−ＳＰＤＣＣＨの各々の電力を測定し、測定した電力でウオルシュ符号の得られた番号を順序付けする。加入者局には、ウオルシュ空間リストが与えられるので、加入者局は、ウオルシュ符号の得られた番号の各々を、ウオルシュ符号と関連づけることができる。
【００９５】
当業者は、情報及び信号が多岐に渡る様々な技術及び技法のいずれかを使用して表現されてよいことを理解するだろう。例えば、前記説明を通して参照されてよいデータ、命令、コマンド、情報、信号、ビット、記号及びチップは、電圧、電流、電磁波、磁場または磁性粒子、光学場または光学粒子、またはその任意の組み合わせによって表現されてよい。
【００９６】
当業者は、さらに、ここに開示されている実施形態に関連して説明された多様な例示的な論理ブロック、モジュール、回路及びアルゴリズムステップが、電子ハードウェア、コンピュータソフトウェア、または両方の組み合わせとして実現されてよいことを理解するだろう。ハードウェアとソフトウェアのこの互換性を明確に説明するために、多様な例示的な構成要素、ブロック、モジュール、回路及びステップが、一般的にそれらの機能という点で前述されている。このような機能性がハードウェアとして実現されるのか、あるいはソフトウェアとして実現されるのかは、特定の用途及び全体的なシステムに課される設計制約に依存する。当業者は、それぞれの特定の用途のために変化する方法で説明された機能性を実現してよいが、このような実現の決定は、本発明の範囲からの逸脱を引き起こすと解釈されるべきではない。
【００９７】
ここに開示されている実施形態に関連して説明された多様な例示的な論理ブロック、モジュール及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブルロジックデバイス、離散ゲートまたはトランジスタ論理、離散ハードウェア構成要素、あるいはここに説明される機能を実行するように設計されたその任意の組み合わせをもって実現または実行されてよい。汎用プロセッサは、マイクロプロセッサであってよいが、代替策ではプロセッサは、任意の従来のプロセッサ、コントローラ、マイクロコントローラまたは状態機械であってよい。プロセッサは、例えばＤＳＰとマイクロプロセッサの組み合わせ、複数のマイクロプロセッサ、ＤＳＰコアと連動する１台または複数台のマイクロプロセッサ、あるいは任意の他のこのような構成など計算装置の組み合わせとして実現されてもよい。
【００９８】
ここに開示された実施形態に関連して説明された方法またはアルゴリズムのステップは、ハードウェア内、プロセッサによって実行されるソフトウェアモジュール内、あるいは２つの組み合わせの中で直接的に具体化されてよい。ソフトウェアモジュールはＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、または技術で既知である任意の他の形式の記憶媒体に常駐してよい。例示的な記憶媒体は、プロセッサが記憶媒体から情報を読み取り、記憶媒体に情報を書き込むことができるようにプロセッサに結合される。代替策では、記憶媒体はプロセッサに一体化してよい。プロセッサ及び記憶媒体はＡＳＩＣに常駐してよい。ＡＳＩＣはユーザ端末に常駐してよい。代替策では、プロセッサ及び記憶媒体はユーザ端末内に別々の構成要素として常駐してよい。
【００９９】
開示された実施形態の過去の説明は、当業者が本発明を製造するまたは使用することができるようにするために提供される。これらの実施形態に対する多様な修正は、当業者に容易に明らかになり、ここに定義される一般的な原則は、本発明の精神または範囲から逸脱することなく他の実施形態に適用されてよい。したがって、本発明はここに示されている実施形態に制限されるのではなく、ここに説明される原則及び新規特徴と一貫する最も幅広い範囲を与えられることを目的とする。
【０１００】
この特許文献の開示の一部分は、コピープロテクトの対象となる物質を含む。著作権者は、特許文献または特許記録が特許商標庁の特許ファイルまたは特許記録に現われるので、誰かによる特許文献または特許記録の複製に異議を唱えない。さもなければ、どんなものであれ、すべての著作権を留保する。
【図面の簡単な説明】
【０１０１】
【図１】図１は基地局により送信された逆方向チャネルの構造を図解する。
【図２】図２は基地局により送信された逆方向チャネルの構造を図解する。
【図３】図３は、例示順方向パケットデータチャネルを図解する。
【図４】図４は、一実施形態に従うサブパケット構造を図解する。
【図５】図５は、一実施形態に従うサブパケット構造を図解する。
【図６】図６は、一実施形態に従う制御チャネル構造を図解する。
【図７】図７は、他の実施形態に従う制御チャネル構造を図解する。
【図８】図８は、他の実施形態に従う制御チャネル構造を図解する。
【図９】図９は、一実施形態に従うＣＤＭチャネル構造を図解する。
【図１０】図１０は、他の実施形態に従う制御チャネル構造を図解する。
【図１１】図１１は、他の実施形態に従う制御チャネル構造を図解する。
【図１２】図１２は、他の実施形態に従う制御チャネル構造を図解する。
【図１３】図１３は、他の実施形態に従う制御チャネル構造を図解する。
【図１】
2005507192.tif 000004
【図２】
2005507192.tif 000005
【図３】
2005507192.tif 000006
【図４】
2005507192.tif 000007
【図５】
2005507192.tif 000008
【図６】
2005507192.tif 000009
【図７】
2005507192.tif 000010
【図８】
2005507192.tif 000011
【図９】
2005507192.tif 000012
【図１０】
2005507192.tif 000013
【図１１】
2005507192.tif 000014
【図１２】
2005507192.tif 000015
【図１３】
2005507192.tif 000016
【国際公開パンフレット】
2005507192.tif 000017
2005507192.tif 000018
2005507192.tif 000019
2005507192.tif 000020
2005507192.tif 000021
2005507192.tif 000022
2005507192.tif 000023
2005507192.tif 000024
2005507192.tif 000025
2005507192.tif 000026
2005507192.tif 000027
2005507192.tif 000028
2005507192.tif 000029
2005507192.tif 000030
2005507192.tif 000031
2005507192.tif 000032
2005507192.tif 000033
2005507192.tif 000034
2005507192.tif 000035
2005507192.tif 000036
2005507192.tif 000037
2005507192.tif 000038
2005507192.tif 000039
2005507192.tif 000040
2005507192.tif 000041
2005507192.tif 000042
2005507192.tif 000043
2005507192.tif 000044
2005507192.tif 000045
2005507192.tif 000046
2005507192.tif 000047
2005507192.tif 000048
2005507192.tif 000049
2005507192.tif 000050
2005507192.tif 000051
2005507192.tif 000052
2005507192.tif 000053
2005507192.tif 000054
2005507192.tif 000055
2005507192.tif 000056
2005507192.tif 000057
2005507192.tif 000058
2005507192.tif 000059
2005507192.tif 000060
2005507192.tif 000061
2005507192.tif 000062
2005507192.tif 000063
2005507192.tif 000064
2005507192.tif 000065
2005507192.tif 000066
【国際調査報告】
2005507192.tif 000067
2005507192.tif 000068